(57)【要約】      （修正有）【課題】種類の異なる電波で通信する２つの通信アンテナの性能を確保しつつ、２つの通信アンテナを搭載した場合でも、撮像装置が大型化するのを回避する仕組みを提供する。【解決手段】撮像装置は、撮影画面の長手方向に対して傾斜する一対の反射面であるダハ面３２０ｂ，３２０ｃを有し、撮影光学系からの被写体光束をファインダ接眼部に導くペンタプリズム３２０と、ＧＰＳ電波を受信するＧＰＳ通信アンテナ、及びＧＰＳ通信アンテナの受信感度を安定化させるシールド部材を有するＧＰＳモジュール４と、無線ＬＡＮ通信の電波を送受信する無線ＬＡＮ通信アンテナ、及び無線ＬＡＮ通信アンテナの通信感度を安定化させるグランド部材を有する無線ＬＡＮモジュール５とを備える。ＧＰＳモジュール４、及び無線ＬＡＮモジュール５は、それぞれペンタプリズム３２０における一対のダハ面３２０ｂ，３２０ｃに設けられる。【選択図】図３
2014056089.tif 000002
【特許請求の範囲】
【請求項１】
撮影画面の長手方向に対して傾斜する一対の反射面であるダハ面を有し、撮影光学系からの光束をファインダ接眼部に導くペンタプリズムと、
外部から送信された電波を受信する第１の通信アンテナ、及び前記第１の通信アンテナの受信感度を安定化させる第１の感度安定化部材を有する第１の通信モジュールと、
前記第１の通信アンテナが受信する電波と異なる種類の電波を外部から受信し、かつ装置本体から電波を外部に送信する第２の通信アンテナ、及び前記第２の通信アンテナの通信感度を安定化させる第２の感度安定化部材を有する第２の通信モジュールと、を備え、
前記第１の通信モジュール、及び前記第２の通信モジュールは、それぞれ前記ペンタプリズムにおける前記一対のダハ面に設けられることを特徴とする撮像装置。
【請求項２】
前記第１の通信モジュールは、前記一対のダハ面のうち、レリーズボタンの側に配置されるダハ面に設けられることを特徴とする請求項１に記載の撮像装置。
【請求項３】
前記第１の通信アンテナは、ＧＰＳ衛星からの電波を受信し、前記第２の通信アンテナは、無線ＬＡＮ通信の電波を送受信することを特徴とする請求項１又は２に記載の撮像装置。
【発明の詳細な説明】
【技術分野】
【０００１】
本発明は、種類の異なる電波で通信する２つの通信アンテナを有するデジタルカメラ等の撮像装置に関する。
【背景技術】
【０００２】
メモリカード等の記録媒体に撮影画像及び撮影位置情報を記録可能なデジタルカメラ等では、撮影位置情報と地図ソフトと組み合わせて撮影場所を閲覧したり、撮影画像を容易に検索したりすることができる。ここで、撮影位置、すなわちカメラの位置を検出するには、ＧＰＳ（Ｇｌｏｂａｌ  Ｐｏｓｉｔｉｏｎｉｎｇ  Ｓｙｓｔｅｍ）が用いられる。この種のカメラでは、ＧＰＳ衛星からの電波を効率よく受信するためのＧＰＳ受信アンテナが搭載される。例えば、ＧＰＳ受信アンテナをカメラのペンタプリズムの斜面（ダハ面）にそれぞれ１つずつ合計２つ配置することで、カメラの撮影時の姿勢にかかわらずＧＰＳアンテナが天面を向くようにした技術が提案されている（特許文献１）。
【０００３】
一方、外部機器と無線ＬＡＮ通信を行うことによって、画像や動画の送受信だけでなく、外部機器からのリモート操作を可能にし、また、各種クラウドサービスへのアップロードなどを可能するため、カメラに無線ＬＡＮ通信アンテナを搭載したものがある。例えば、無線通信アンテナをカメラのファインダの天面に設けることで、外部機器との送受信可能な範囲を広げた技術が提案されている（特許文献２）。
【先行技術文献】
【特許文献】
【０００４】
【特許文献１】特開２００３−３１５８９０号公報
【特許文献２】特開２００８−２４４７３５号公報
【発明の概要】
【発明が解決しようとする課題】
【０００５】
しかし、上記特許文献１では、ＧＰＳ電波のみを受信するＧＰＳ通信アンテナを２つ搭載するため、コストアップになる。また、上記特許文献２では、無線ＬＡＮ通信アンテナをカメラのファインダの天面に配置しているため、カメラ上部に設けたアクセサリシューなどとアンテナとの干渉を回避するスペースが必要となり、カメラの大型化を招く。
【０００６】
そこで、本発明は、種類の異なる電波で通信する２つの通信アンテナの性能を確保しつつ、２つの通信アンテナを搭載した場合でも、撮像装置が大型化するのを回避する仕組みを提供することを目的とする。
【課題を解決するための手段】
【０００７】
上記目的を達成するために、本発明の撮像装置は、撮影画面の長手方向に対して傾斜する一対の反射面であるダハ面を有し、撮影光学系からの光束をファインダ接眼部に導くペンタプリズムと、外部から送信された電波を受信する第１の通信アンテナ、及び前記第１の通信アンテナの受信感度を安定化させる第１の感度安定化部材を有する第１の通信モジュールと、前記第１の通信アンテナが受信する電波と異なる種類の電波を外部から受信し、かつ装置本体から電波を外部に送信する第２の通信アンテナ、及び前記第２の通信アンテナの通信感度を安定化させる第２の感度安定化部材を有する第２の通信モジュールと、を備え、前記第１の通信モジュール、及び前記第２の通信モジュールは、それぞれ前記ペンタプリズムにおける前記一対のダハ面に設けられることを特徴とする。
【発明の効果】
【０００８】
本発明によれば、種類の異なる電波で通信する２つの通信アンテナの性能を確保しつつ、２つの通信アンテナを搭載した場合でも、撮像装置が大型化するのを回避することができる。
【図面の簡単な説明】
【０００９】
【図１】（ａ）は本発明の撮像装置の実施形態の一例であるデジタルカメラのカメラ本体を正面側（被写体側）から見た斜視図、（ｂ）は（ａ）に示すカメラ本体を背面側から見た斜視図である。
【図２】デジタルカメラのシステム構成の概略を示すブロック図である。
【図３】図１（ａ）に示すカメラ本体において、正面カバー、背面カバー、及び上面カバーを取り外した状態を示す斜視図である。
【図４】（ａ）はＧＰＳモジュールを上面側から見た斜視図、（ｂ）はＧＰＳモジュールを（ａ）の底面側から見た斜視図である。
【図５】無線ＬＡＮモジュールを上面側から見た斜視図である。
【図６】カメラ本体とカメラ本体に装着される縦位置グリップとの関係を示す斜視図である。
【発明を実施するための形態】
【００１０】
以下、本発明の実施形態の一例を図面を参照して説明する。
【００１１】
図１（ａ）は本発明の撮像装置の実施形態の一例であるデジタルカメラのカメラ本体を正面側（被写体側）から見た斜視図、図１（ｂ）は図１（ａ）に示すカメラ本体を背面側から見た斜視図である。
【００１２】
本実施形態のデジタルカメラは、図１に示すように、正面カバー１１、背面カバー２５、及び上面カバー１７によりカメラ本体１の外装を形成しており、正面カバー１１には、グリップ部１１ａが設けられている。ここで、カメラ本体１は、本発明の装置本体の一例に相当する。
【００１３】
図１（ａ）に示すように、カメラ本体１の正面側には、レンズ鏡筒３１８（図２参照）が着脱可能に装着されるマウント１３が設けられ、カメラ本体１の上面部には、アクセサリシュー１６、及びレリーズボタン１２等が設けられる。レリーズボタン１２は、カメラ本体１の背面側（撮影者側）から見て右側の位置で、グリップ部１１ａの上部に配置されている。また、カメラ本体１の背面側には、図１（ｂ）に示すように、ファインダ接眼部２１、ＬＣＤ等の表示部２２、電源ボタン２６、及び各種操作ボタン２３が設けられている。
【００１４】
図２は、デジタルカメラのシステム構成の概略を示すブロック図である。図２において、システム制御部３０１は、デジタルカメラ全体の制御を司るＣＰＵ３０２を有する。システム制御部３０１には、レリーズボタン１２、表示部２２、電源ボタン２６、各種操作ボタン２３、メモリ３０３、撮像素子３０４、ミラー制御部３０５、シャッタ制御部３０６、及び撮像レンズ制御部３０７が接続される。また、システム制御部３０１には、測距部３０８、測光部３０９、電源３１０、及び外部メモリスロット３１１が接続される。
【００１５】
また、システム制御部３０１には、コネクタ３１２、及びコネクタ３１３が装着されている。コネクタ３１２には、フレキシブルプリント基板３１４を介してＧＰＳモジュール４が接続され、コネクタ３１３には、フレキシブルプリント基板３１５を介して無線ＬＡＮモジュール５が接続される。
【００１６】
メモリ３０３には、撮像動作に関する情報が記録されている。電源３１０は、電源スイッチのＯＮ操作により、各部へ電力を供給する。レンズ鏡筒３１８は、カメラ本体１のマウント１３に着脱可能に装着され、被写体光を撮像素子３０４の撮像面等に結像させる。また、レンズ鏡筒３１８は、焦点位置を調節するためのフォーカスレンズを含む複数のレンズ群を備える。
【００１７】
クイックリターンミラー１５は、メインミラー１５ａとサブミラー１５ｂとにより構成される。メインミラー１５ａは、その一部がハーフミラーとなっており、光の一部を透過させて測距部３０８に導く。また、クイックリターンミラー１５は、撮像時にレリーズボタン１２が押下されると、不図示の軸を中心として回動し、反射面が光軸３１７に対して略平行となる位置に退避する。測距部３０８は、サブミラー１５ｂによって屈曲された光を２つに分けて視差のある２つの像を生成し、公知の位相差測距を行い、測距情報をＣＰＵ３０２に出力する。
【００１８】
レリーズボタン１２は、二段階の押し操作が可能とされ、第１ストローク（半押し）でスイッチＳ１がオンし、第２ストローク（全押し）にてスイッチＳ２がオンする。撮像素子３０４は、メインミラー１５ａが退避したときに、レンズ鏡筒３１８の撮影光学系を通過して結像した被写体像を電気信号に変換する。撮像素子３０４としては、ＣＭＯＳセンサ、ＣＣＤセンサ、及びＣＩＤセンサ（電荷注入素子）が例示できる。クイックリターンミラー１５と撮像素子３０４との間には、露光時間を制御するシャッタ３１９が設けられている。
【００１９】
ペンタプリズム３２０は、撮影画面の長手方向に対して傾斜する一対の反射面であるダハ面３２０ｂ及びダハ面３２０ｃを有する。ペンタプリズム３２０は、レンズ鏡筒３１８の撮影光学系を通過してメインミラー１５ａによって反射された撮像光束を正立正像に変換反射する。これにより、撮影者は、ファインダ接眼部２１から被写体像を観察することができる。また、ペンタプリズム３２０は、撮像光束の一部を測光部３０９にも導く。
【００２０】
測光部３０９は、得られた撮像光束の一部を、観察面上の各エリアの輝度信号に変換し、ＣＰＵ３０２に出力する。ＣＰＵ３０２は、測光部３０９から得られる輝度信号から露出値を算出する。
【００２１】
レリーズボタン１２が半押しされてスイッチＳ１がオンされると、ＣＰＵ３０２は、測距部３０８および測光部３０９を駆動して、測距および測光動作を行い、得られた測距情報と測光情報は、ＣＰＵ３０２に出力される。ＣＰＵ３０２は、得られた測距情報と測光情報を撮像レンズ制御部３０７に出力し、撮像レンズ制御部３０７は、得られた測距情報と測光情報に基づいて、レンズ鏡筒３１８のフォーカスレンズと可動絞りを駆動する。
【００２２】
また、レリーズボタン１２が全押しされてスイッチＳ２がオンされると、ＣＰＵ３０２は、ミラー制御部３０５、シャッタ制御部３０６および撮像素子３０４を駆動して撮像動作を開始する。
【００２３】
撮影動作が開始されると、撮像素子３０４は、レンズ鏡筒３１８の撮影光学系を通過して結像した被写体光を電気信号に変換した後、Ａ／Ｄ変換部を介してＣＰＵ３０２に出力する。ＣＰＵ３０２に出力された電気信号は、ＪＰＥＧなどの画像処理が施された後、外部メモリスロット３１１に挿入されたメモリカード等の外部メモリ３２２に画像データとして記録される。なお、本実施形態での画像データは、公知のＥｘｉｆのファイルフォーマットに準拠しており、画像情報に、露出時間や絞り値などの撮影情報や後述の測位情報などが結合されたデータである。
【００２４】
図３は、図１（ａ）に示すカメラ本体１において、正面カバー１１、背面カバー２５、及び上面カバー１７を取り外した状態を示す斜視図である。
【００２５】
図３に示すように、本体シャーシ３１の正面側には、ミラーボックス３３が設けられ、ミラーボックス３３の上部には、ペンタプリズム３２０が設けられる。ペンタプリズム３２０には、前述したように、メインミラー１５ａで反射した撮像光束をファインダ接眼部２１へ導くための反射面であるダハ面３２０ｂ及びダハ面３２０ｃが設けられる。
【００２６】
レリーズボタン１２側のダハ面３２０ｂには、ＧＰＳ衛星からの電波を受信して、撮影位置情報を算出する第１の通信モジュールであるＧＰＳモジュール４が設けられている。レリーズボタン１２と反対側のダハ面３２０ｃには、撮影画像を不図示の外部機器に対して送受信するため、または外部機器からのカメラの操作信号を受信するための第２の通信モジュールである無線ＬＡＮモジュール５が設けられている。
【００２７】
上面カバー１７の撮影光軸からの高さ、つまりカメラ本体１の高さは、ペンタプリズム３２０の頂点部３２０ａ、及び頂点部３２０ａを覆う上面カバー１７の頂点部１７ａの高さにより決まる。上面カバー１７の頂点部１７ａの左右に配置される斜面部１７ｂ及び斜面部１７ｃとダハ面３２０ｂ及びダハ面３２０ｃとの間には、カメラのデザイン上、隙間が形成される。
【００２８】
ＧＰＳモジュール４、及び無線ＬＡＮモジュール５は、それぞれダハ面３２０ｂ、及びダハ面３２０ｃに沿って、かつダハ面３２０ｂ、及びダハ面３２０ｃと上面カバー１７の斜面部１７ｂ、及び斜面部１７ｃとの間の隙間に配置される。このため、上面カバー１７の高さを変えることなく、換言すれば、カメラを大型化することなく、ＧＰＳモジュール４、及び無線ＬＡＮモジュール５を配置することが可能である。
【００２９】
図４（ａ）はＧＰＳモジュール４を上面側から見た斜視図、図４（ｂ）はＧＰＳモジュール４を図４（ａ）の底面側から見た斜視図である。
【００３０】
図４に示すように、ＧＰＳモジュール４は、基板４１、ＧＰＳ通信アンテナ４２、ＩＣ４３、コネクタ４４、及びシールド部材４５により構成され、ＧＰＳ通信アンテナ４２は、パッチアンテナとされている。また、コネクタ４４には、フレキシブルプリント基板３１４の一端が接続され、フレキシブルプリント基板３１４の他端は、システム制御部３０１のコネクタ３１２に接続される。
【００３１】
ＧＰＳ通信アンテナ４２は、ＧＰＳ衛星からの電波を受信するため、天面を向いている必要がある。シールド部材４５は、金属材料で形成され、地面やカメラの内部で反射した不要な電波をＧＰＳ通信アンテナ４２が受信しないようにして受信感度を安定化させる。シールド部材４５は、ねじ等によって基板４１に固定される。ここで、ＧＰＳ通信アンテナ４２は、本発明の第１の通信アンテナの一例に相当し、シールド部材４５は、本発明の第１の感度安定化部材の一例に相当する。
【００３２】
撮像動作により、外部メモリ３２２に画像データが記録されると、ＣＰＵ３０２は、ＩＣ４３に対して、衛星の電波を受信し、受信信号の情報を用いてカメラの測位情報（緯度、経度、高度）を算出するように指示する。ＩＣ４３は、かかる指示に応じて、ＧＰＳ通信アンテナ４２を介してＧＰＳ衛星からの電波を受信し、受信した電波を復調信号に変換した後、ＣＰＵ３０２へ送る。ＣＰＵ３０２は、ＩＣ４３から送られた復調信号に基づいて所定の演算を行うことによって測位情報を求め、求めた測位情報を外部メモリ３２２に記録された画像データに結合する。
【００３３】
図５は、無線ＬＡＮモジュール５を上面側から見た斜視図である。図５に示すように、無線ＬＡＮモジュール５は、基板５１、ＩＣ５２、無線ＬＡＮ通信アンテナ５３、グランド部材５４、及びコネクタ５５により構成される。無線ＬＡＮ通信アンテナ５３は、基板５１の表面にアンテナパターンが銅箔でプリントされたプリントアンテナとされている。
【００３４】
また、コネクタ５５には、フレキシブルプリント基板３１５の一端が接続され、フレキシブルプリント基板３１５の他端は、システム制御部３０１のコネクタ３１３に接続される。グランド部材５４は、金属材料で形成され、無線ＬＡＮモジュール５の通信感度を安定化させる。グランド部材５４は、ねじ等によって基板５１に固定され、グランド接続を強固にする。ここで、無線ＬＡＮ通信アンテナ５３は、本発明の第２の通信アンテナの一例に相当し、グランド部材５４は、本発明の第２の感度安定化部材の一例に相当する。
【００３５】
所定の操作ボタン２３のユーザ操作により、外部メモリスロット３１１に挿入された外部メモリ３２２に記録されている画像データを外部機器に送信する指示がなされると、ＣＰＵ３０２は、画像データをＩＣ５２に送信する。ＩＣ５２は、画像データに対して所定の無線方式に変調した後、送信周波数に変換し、その後、無線ＬＡＮ通信アンテナ５３を介して画像データを外部機器へ無線送信する。
【００３６】
また、外部機器からカメラを操作する場合、外部機器でのユーザ操作による指示がなされると、外部機器から発信された電波を無線ＬＡＮ通信アンテナ５３が受信し、受信した操作信号に基づき、ＣＰＵ３０２が所定の操作を行う。
【００３７】
ＧＰＳモジュール４について、金属部材がＧＰＳ通信アンテナ４２付近、特に基板４１よりＧＰＳ通信アンテナ４２側に配置されると、ＧＰＳ衛星からの電波を遮断してしまうため、アンテナ強度を弱めてしまう。無線ＬＡＮモジュール５のグランド部材５４は、ＧＰＳ通信アンテナ４２のグランドとしては働かないため、グランド部材５４をＧＰＳ通信アンテナ４２付近、特に基板４１より上面に配置すると、ＧＰＳ通信アンテナ４２の強度を低減させてしまう。
【００３８】
同様に、無線ＬＡＮモジュール５についても、金属部材が無線ＬＡＮ通信アンテナ５３付近に配置されると、外部機器との送受信電波を遮断してしまうため、無線ＬＡＮ通信アンテナ５３の強度を低減させる要因となる。ＧＰＳモジュール４のシールド部材４５は、無線ＬＡＮ通信アンテナ５３のグランドとしては働かないため、シールド部材４５を無線ＬＡＮ通信アンテナ５３付近に配置すると無線ＬＡＮ通信アンテナ５３の強度を低減させてしまう。
【００３９】
そこで、本実施形態では、図３に示すように、ＧＰＳ通信アンテナ４２、及び無線ＬＡＮ通信アンテナ５３をそれぞれペンタプリズム３２０のダハ面３２０ｂ、及びダハ面３２０ｃに沿って配置している。これにより、通信アンテナ４２，５３と通信アンテナ４２，５３の強度を阻害する金属部材５４，４５との距離を離すことができ、通信アンテナ４２，５３の強度を保つことができる。
【００４０】
図６は、カメラ本体１とカメラ本体１に装着される縦位置グリップ７との関係を示す斜視図である。
【００４１】
縦位置グリップ７は、撮影者がカメラ本体１を通常位置から９０°回転させて縦位置撮影を行う場合、その撮影動作を容易にするためのアクセサリである。縦位置グリップ７は、図６に示すように、接続ピン７１、固定ねじ７２、電池蓋７３、操作ダイヤル７４、及びレリーズボタン７５を備える。カメラ本体１のグリップ部１１ａの内部の電池挿入部にグリップ部１１ａの底部側から縦位置グリップ７の接続ピン７１を矢印Ａ方向に挿入し、固定ねじ７２を締め付けることで、カメラ本体１に縦位置グリップ７が装着される。
【００４２】
カメラ本体１に縦位置グリップ７を装着して状態では、縦位置グリップ７のレリーズボタン７５は、カメラ本体１のペンタプリズム３２０のダハ面３２０ｂに沿って配置されるＧＰＳ通信アンテナ４２と同一方向を向くように配置される。したがって、カメラ本体１に縦位置グリップ７を装着して縦位置撮影を行う場合、縦位置グリップ７のレリーズボタン７５は天面側を向くため、カメラ本体１のダハ面３２０ｂに沿って配置されるＧＰＳ通信アンテナ４２も天面側を向く。
【００４３】
これにより、カメラ本体１に複数のＧＰＳ通信アンテナ４２を搭載しなくても、カメラのみでの撮影時、及びカメラ本体１に縦位置グリップ７を装着した縦位置撮影時の両方の場合で、ＧＰＳ通信アンテナ４２のアンテナ強度を弱めることなく撮影することができる。
【００４４】
また、縦位置グリップ７を装着せずにカメラのみで縦位置撮影を行う際、通常、左手でレンズ鏡筒３１８を支え、右手でグリップ部１１ａを把持して右手が上側を向くようにカメラ本体１を回転させて撮影する。その場合にも、ＧＰＳ通信アンテナ４２は、天面側を向くので、アンテナ強度を弱めることは無い。
【００４５】
以上説明したように、本実施形態では、種類の異なる電波で通信する２つの通信アンテナ４２，５３の性能を確保しつつ、２つの通信アンテナ４２，５３を搭載した場合でも、デジタルカメラが大型化するのを回避することができる。
【００４６】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４７】
１  カメラ本体
４  ＧＰＳモジュール
５  無線ＬＡＮモジュール
１２  レリーズボタン
２１  ファインダ接眼部
４２  ＧＰＳ通信アンテナ
４５  シールド部材
５３  無線ＬＡＮ通信アンテナ
５４  グランド部材
３２０  ペンタプリズム
３２０ｂ，３２０ｃ  ダハ面
【図１】
2014056089.tif 000003
【図２】
2014056089.tif 000004
【図３】
2014056089.tif 000005
【図４】
2014056089.tif 000006
【図５】
2014056089.tif 000007
【図６】
2014056089.tif 000008